(57)【要約】  【課題】冷蔵庫本体内に専用のスペースを設けて冷蔵庫の収納容積を侵害することがなく、のない缶冷却用の急冷装置を提供する。  【解決手段】冷蔵庫本体１００の外壁を構成する回転扉１０２ａに容器１０８を回転させるために設けられ、冷蔵庫本体１００より電源を供給されている駆動体２２０と、軟性を有する蓄冷材２５１からなり、駆動体２２０と共に容器を保持する保持部材２５０を有し、容器１０８に当接した保持部材２５０が容器１０８と共に回転するように構成されているものである。【選択図】図６
2006200786.tif 000002
【特許請求の範囲】
【請求項１】
冷蔵庫本体の外壁に設けられ外部から容器がセットされた場合に前記容器を回転させる駆動体と、前記容器を冷却する冷却手段とからなり、前記駆動体もしくは前記冷却手段が前記冷蔵庫本体より電源を供給されている冷蔵庫の急冷装置。
【請求項２】
前記冷却手段は蓄冷材であり、外部から容器がセットされた場合に前記駆動体と共に容器を保持する保持部材を有し、前記容器に当接した前記保持部材が前記容器と共に回転する請求項１に記載の冷蔵庫の急冷装置。
【請求項３】
前記保持部材の底面に配設された磁石と、前記駆動体に配設された磁石を対向させてトルクを伝えることで前記保持部材を回転させる請求項１または２に記載の冷蔵庫の急冷装置。
【請求項４】
前記保持部材は一端を開口した略筒形状である請求項２に記載の冷蔵庫の急冷装置。
【請求項５】
外部からセットされた容器が略円筒形の場合には、前記容器は前記駆動体により少なくとも前記容器のフランジ部を支持され、胴の軸方向を縦向きに回転する請求項４に記載の冷蔵庫の急冷装置。
【請求項６】
前記保持部材の外面に、断熱部材が配設されている請求項２から５のいずれか一項に記載の冷蔵庫の急冷装置。
【請求項７】
前記駆動体は、冷蔵庫本体の壁面内に構成されたモータと、前記冷蔵庫本体の外壁に構成され前記モータにより駆動される回転体とから構成される請求項２または３に記載の冷蔵庫の急冷装置。
【請求項８】
前記回転体は、前記冷蔵庫本体の外壁に、略水平位置と略垂直位置の間を回動可能に構成されている請求項７に記載の冷蔵庫の急冷装置。
【請求項９】
前記モータは、摩擦により前記回転体にトルクを伝達する請求項７または８に記載の冷蔵庫の急冷装置。
【発明の詳細な説明】
【技術分野】
【０００１】
本発明は、冷蔵庫の缶冷却装置に関するものである。
【背景技術】
【０００２】
一般に、飲料入りの缶等を冷却する場合には、冷蔵庫の冷蔵室に入れて冷却していたが、冷却されて適温になるまでには、相当の時間が掛かるという問題があった。
【０００３】
そこで、近年では、冷蔵庫本体内で、缶を横向き状態にして回転させることにより、中味を対流させて迅速に冷却することを目的する急冷装置が開発されている（例えば、特許文献１参照）。
【０００４】
図８は、特許文献１に記載された従来の冷蔵庫の缶冷却装置の要部縦断面図である。図８に示すように、冷蔵庫本体１はそれぞれ前面扉が設けられた複数の食品保存室から成り、外箱２と内箱３及び両箱間に充填された発泡ウレタン等の断熱材４により構成されている。この冷蔵庫本体１の内部は断熱作用のある仕切壁８により仕切られ、上部より冷蔵室５、野菜室６、冷凍室（図示せず）などを備えており、冷蔵室５前面開口は開閉可能な回動式の扉（図示せず）により閉塞可能であり、野菜室６や冷凍室は引出し式の扉（図示せず）により夫々閉塞されている。前記の各扉は、夫々鋼板から成る扉外箱と硬質樹脂材料から成る扉内箱との間に発泡ウレタン等の断熱材を充填して構成される。
【０００５】
前記冷蔵室５の左側壁１０の前下部には取付空間１１を凹設し、該取付空間１１内に回転駆動体としてのギアモータ１２を配設する。そして、該モータ１２の出力軸１３には３５０ｍｌ、５００ｍｌ等の飲料入り缶２０を横向きに保持する保持部材１４を固定する。
【０００６】
該保持部材１４は、ほぼ有底状の筒体であり、例えば合成樹脂材料で形成されると共にその側壁内面には爪部１５が形成されている。該爪部１５を形成する斜面に沿って飲料入り缶２０の外周上端部のフランジが滑るようにして、前記爪部１５がこのフランジの溝部に係合することにより保持するものである。
【０００７】
また、前記保持部材１４により保持された前記缶２０下部を支持すべく前記冷蔵室５の底面部である前記仕切壁８の前左部を窪ませて前記缶２０よりもわずか大径で且つ長い半円柱状の支持部１６を形成する。そして、この支持部１６には熱伝導性の良好な材料、例えばアルミニウムで形成した冷却板１７を配設し、更に外冷却板１７の下には蓄冷材１８を配設する。この蓄冷材１８として、例えば公知のエチレングリコールやプロピレングリコールの水溶液のような有機性ブライン、水溶性高分子の水溶液と前記有機性ブラインの混合物等をプラスティック袋に入れて使用する。
【０００８】
なお、前記冷蔵室５には本体背面とダクト形成板とにより形成されたダクトの吹出口から公知の冷凍サイクルユニットによる冷気が供給され、該冷蔵室５内の食品等を冷蔵保存できるものである。
【０００９】
以上の構成により、前記冷蔵室５内は冷蔵状態にあり、前記支持部１６に配設された冷却板１７及び蓄冷材１８は常時冷却された状態にある。ここで、飲料入り缶２０を横向きにして、前記保持部材１４の爪部１５を形成する斜面に沿ってこの飲料入り缶２０の外周上端部のフランジを滑らせるようにして押し込み、前記爪部１５をこのフランジの溝部に係合させて保持させる。このとき、飲料入り缶２０は、前記支持部１６内に嵌合し、冷却板１７上に載置することとなる。
【００１０】
このため、保持部材１４と共に飲料入り缶２０は前記支持部１６上の滑りながら回転し、中味の飲料は対流し迅速に均一に冷却されることになる。
【特許文献１】特開２００２−２９５９７１号公報
【発明の開示】
【発明が解決しようとする課題】
【００１１】
しかしながら、上記従来の缶冷却装置の構成では、冷蔵庫の本体内に缶冷却用の専用スペースを設ける必要があり、その他の貯蔵品の貯蔵量を実質的に低減してしまうという課題を有していた。
【００１２】
本発明は上記従来の課題を解決するもので、冷蔵庫の収納量に影響を与えることのない急冷装置を提供することを目的とする。
【００１３】
また、上記従来の缶冷却装置の構成では、冷却板と容器が当接しながら回動するために、容器が破損し易いという課題を有していた。
【００１４】
本発明は上記従来の課題を解決するもので、容器が破損し難い急冷装置を提供することを目的とする。
【課題を解決するための手段】
【００１５】
上記従来の課題を解決する為に、本発明の冷蔵庫の急冷装置は、冷蔵庫本体の外壁に設けられ外部から容器がセットされた場合に前記容器を回転させる駆動体と、前記容器を冷却する冷却手段とからなり、前記駆動体もしくは前記冷却手段が前記冷蔵庫本体より電源を供給されているものである。
【００１６】
これによって、冷蔵庫本体の外部で缶等の容器を急冷することができる。
【発明の効果】
【００１７】
本発明の冷蔵庫の急冷装置は、急冷装置を冷蔵庫本体の外壁に設けることで、冷蔵庫の収納量に影響を与えることなく缶等容器の急冷が可能になる。
【発明を実施するための最良の形態】
【００１８】
請求項１に記載の発明は、冷蔵庫本体の外壁に設けられ外部から容器がセットされた場合に前記容器を回転させる駆動体と、前記容器を冷却する冷却手段とからなり、前記駆動体もしくは前記冷却手段が前記冷蔵庫本体より電源を供給されていることにより、冷蔵庫本体の外部で缶等の容器を急冷することとなり、冷蔵庫の収納量に影響を与えることなく、飲料缶を急冷することができる。
【００１９】
請求項２に記載の発明は、請求項１に記載の発明に加えて、前記冷却手段は蓄冷材であり、外部から容器がセットされた場合に前記駆動体と共に容器を保持する保持部材を有し、前記容器に当接した前記保持部材が前記容器と共に回転することにより、容器表面での回転による摺動を防止することとなり、容器が破損することを防止することができる。
【００２０】
請求項３に記載の発明は、請求項１または２に記載の発明に加えて、前記保持部材の底面に配設された磁石と、前記駆動体に配設された磁石を対向させてトルクを伝えることで前記保持部材を回転させることにより、前記容器を取り付けた前記保持部材を前記駆動体に置くだけでトルク伝達が可能となり、急冷装置の操作性が向上する。
【００２１】
請求項４に記載の発明は、請求項２に記載の発明に加えて、前記保持部材が、一端を開口した筒形状であることにより、前記保持部材と容器の接触面積が大きくなり、冷却時間を短縮することができる。
【００２２】
請求項５に記載の発明は、請求項４に記載の発明に加えて、外部からセットされた容器が略円筒形の場合には、前記容器は前記駆動体により少なくとも前記容器のフランジ部を支持され、胴の軸方向を縦向きに回転することにより、前記保冷部材と前記容器の間に形成される隙間に結露水が溜まって熱移動が促進されることとなり、冷却時間を短縮することができる。
【００２３】
請求項６に記載の発明は、請求項２から５の発明に加えて、前記保持部材の外面に、断熱部材が配設されていることにより、前記保持部材の外面への結露が抑制されることとなり、前記保持部材の熱ロスを低減することができる。
【００２４】
請求項７に記載の発明は、請求項２または３の発明に加えて、前記駆動体は、冷蔵庫本体の壁面内に構成されたモータと、前記冷蔵庫本体の外壁に構成され前記モータにより駆動される回転体とを備え、前記モータが壁面内に構成されていることにより、前記モータが前記冷蔵庫の庫外に露出しないこととなり、前記駆動体の庫外における省スペース化が可能となる。
【００２５】
請求項８に記載の発明は、請求項７の発明に加えて、前記回転体は、前記冷蔵庫本体の外壁に、略水平位置と略垂直位置の間を回動可能に構成されていることにより、略垂直位置では前記回転体が前記冷蔵庫本体から成す距離を小さくできることとなり、急冷装置を使用しない状態では冷蔵庫本体の外形寸法を小さくすることができる。
【００２６】
請求項９に記載の発明は、請求項７または８の発明に加えて、前記モータは、摩擦により前記回転体にトルクを伝達することにより、ギヤ等を使用せずにトルクを伝達することとなり、急冷装置の低騒音化が可能になる。
【００２７】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２８】
（実施の形態１）
図１は本発明の実施の形態１における冷蔵庫の側面図である。図２は本発明の実施の形態１における急冷装置の構成図である。図３は本発明の実施の形態１における急冷装置の断面図である。
【００２９】
図１、図２、図３において、冷蔵庫１００は、断熱壁１０１により区画形成された冷蔵室１０２、野菜室１０３、製氷室１０４、切替室１０５、冷凍室１０６により構成されている。ここで、冷蔵室１０２の前面には回転扉１０２ａが回動可能に取り付けられており、野菜室１０３の前面には扉１０３ａが、製氷室１０４の前面には扉１０４ａが、切替室１０５の前面には扉１０５ａが、冷凍室１０６の前面には扉１０６ａが、前面に向けて水平移動可能に取り付けられている。
【００３０】
容器１０８は、内部に飲料が封入された缶及びペットボトルであり、主要部分は略円筒形状をなしている。
【００３１】
急冷装置１１０は、回転扉１０２ａの外面に配設されており、主に駆動体１２０と、冷却手段１３０とから構成されている。
【００３２】
駆動体１２０は、主に支持部材１２１と、回転体１２５から構成されている。
【００３３】
支持部材１２１は、回転扉１０２ａの外面に固定されており、支持部材１２１の内部には、縦方向に配設されたモータ１２２と、上方に向けられたモータシャフト１２２ａの先端に固定された略円筒形の磁石１２３が収納されている。ここで、モータ１２２は、冷蔵庫本体１００に構成された制御部１０７に接続されており、制御部１０７の信号により運転、停止を行う。また、支持部材１２１の上面には、モータ１２２の回転軸、つまりモータシャフト１２２ａを中心として、所定半径を有する凹部１２４が形成されている。
【００３４】
回転体１２５は、支持部材１２１の上面に配置されており、上面を開口した略円筒形の容器である。ここで、回転体１２５の上面開口部、つまり断面凹形状部は、容器１０８の底部がはまり込むような形状となっており、凹部内面には比較的摩擦抵抗が大きく軟性を有するカバー１２６が形成されている。また、回転体１２５の底面には、略円筒形の磁石１２７が内蔵され、かつ下方に向けて凸部１２８が形成されている。このとき、支持部材１２１上に回転体１２５が配置された状態において、磁石１２７と凸部１２８はモータシャフト１２２ａと同心上に位置し、凹部１２４と凸部１２８ははまり込むように構成されており、指示部材１２１の上面と回転体１２５の下面には所定の隙間が形成されている。さらに、この状態においては、モータ１２２に固定された磁石１２３と回転体１２５に内蔵された磁石１２７が対向してトルクを伝達する。
【００３５】
冷却手段１３０は、回転扉１０２ａの外面に固定されたペルチェ素子であり、ペルチェ素子の冷却面１３１を冷蔵庫本体の外面に配置した。ここで、容器１０８が急冷装置に取り付けられた状態において、冷却面１３１は、容器１０８の胴部に当接するように構成されている。また、冷却手段１３０は、冷蔵庫本体１００に構成された制御部１０７に接続されており、制御部１０７の信号により運転、停止を行う。
【００３６】
操作スイッチ１４０は、回転扉１０２ａに固定されており、押しボタン式のスイッチである。ここで、操作スイッチ１４０は、冷蔵庫本体１００に構成された制御部１０７に接続されており、操作スイッチ１４０の操作により制御部１０７に急冷運転の指示が行われる。
【００３７】
以上のように構成された急冷装置について、以下その動作、作用を説明する。
【００３８】
まず、ユーザの手により、容器１０８が回転体１２５に取り付けられる。
【００３９】
次に、操作スイッチ１４０をユーザが操作することで、制御部１０７からの信号により冷却手段１３０がまず運転状態となり、冷却面１３１の温度が低下する。
【００４０】
さらに、所定時間経過後、モータ１２２に対して、制御部１０７から運転信号が送られ、モータ１２２が回転する。
【００４１】
ここで、モータ１２２に固定された磁石１２３と、回転体１２５に内蔵された磁石１２７が対向しているので、モータ１２２の回転により回転体１２５も回転する。このとき回転体１２５の上面凹部に形成されたカバー１２６の摩擦力により、回転体１２５に連動して容器１０８は、胴部側面を冷却面１３１に当接させながら回転する。
【００４２】
よって、所定時間経過後、モータ１２２及び冷却手段１３０への運転を自動的に停止するまで、冷却面１３１からの熱伝導に加え、容器１０８内部の飲料の対流により、迅速かつ均一に容器１０８内部の飲料は冷却されることになる。
【００４３】
以上のように本実施の形態の急冷装置は、冷蔵庫本体１００の外壁に設けられ容器１０８を回転させる駆動体１２０と、容器１０８に当接する冷却手段１３０とからなり、駆動体１２０もしくは冷却手段１３０が冷蔵庫本体１００より電源を供給されていることにより、冷蔵庫本体１００の外部で容器１０８を急冷することとなり、冷蔵庫の収納量に影響を与えることがない。
【００４４】
なお、本実施の形態では、冷却手段１３０をペルチェ素子で構成したが、冷蔵庫本体１００の冷却システムの一部を利用しても同様の効果が期待できる。
【００４５】
なお、本実施の形態では、急冷装置１１０を回転扉１０２ａの外面に取り付けたが、野菜室の扉１０３ａ、製氷室１０４の扉１０４ａ、切替室１０５の扉１０５ａ、冷凍室１０６の扉１０６ａ、もしくは冷蔵庫本体の側面に取り付けてもよい。
【００４６】
（実施の形態２）
図４は本発明の実施の形態２における冷蔵庫の側面図である。図５は本発明の実施の形態２における急冷装置の構成図である。図６は本発明の実施の形態２における急冷装置の断面図である。図７は本発明の実施の形態２における急冷装置の側面図である。
【００４７】
図４、図５、図６、図７において、急冷装置２１０は、回転扉１０２ａの外面に配設されており、主に駆動体２２０と、保持部材２５０とから構成されている。
【００４８】
さらに、駆動体２２０は、主に下部に配置された駆動体本体２３０と、上部に配置された上部支持部材２４０と、連結部材２４１で構成されている。
【００４９】
さらに、駆動体本体２３０は、主にモータ２３１と、ケーシング２３２とにより構成されている。
【００５０】
モータ２３１は、回転扉１０２ａの内部に縦方向に配設されており、上方に向けられたモータシャフト２３３の先端には、第１摩擦車２３４が取り付けられている。ここで、第１摩擦車２３４の外周は、回転扉１０２ａの外部に露出することのないように構成されている。
【００５１】
ケーシング２３２は、回転扉１０２ａの外部に取り付けられており、ケーシング２３２が略垂直方向に倒立する第１位置と、ケーシング２３２が略水平状態となる第２位置との間を回動可能となっている。
【００５２】
ここで、ケーシング２３２の内部には、伝動部材２３５と、第２摩擦車２３６がそれぞれ回転可能に構成されている。伝動部材２３５は、ケーシング２３２の上面方向近傍に配設された略円筒形の磁石２３５ａと、磁石２３５ａの下部の第３摩擦歯車２３５ｂとから構成されており、磁石２３５ａと第３摩擦歯車２３５ｂは一体となって回転する。
【００５３】
第２摩擦車２３６は、第３摩擦歯車２３５ｂに当接して動力を伝達するように、第３摩擦歯車２３５ｂに対して冷蔵庫本体１００側に配設されている。
【００５４】
このとき、ケーシング２３２が略水平状態となる第２位置以外においては、回転扉１０２ａの内部に位置する第１摩擦車２３４と、ケーシング２３２内に配設された第２摩擦車２３６が当接しないように構成されている。
【００５５】
上部支持部材２４０は、回転扉１０２ａの外部に取り付けられたリング状の支持部材であり、上部支持部材２４０が略垂直方向に倒立する第１位置と、上部支持部材２４０が略水平状態となる第２位置との間を回動可能となっている。
【００５６】
連結部材２４１は、ケーシング２３２と、上部支持部材２４０に対してそれぞれ回動可能に取り付けられた機構部材である。ここで、連結部材２４１により、ケーシング２３２と、上部支持部材２４０とが機構的に連結されているので、ケーシング２３２が略垂直方向に倒立する第１位置においては、上部支持部材２４０も同様に第１位置となり、ケーシング２３２が略水平状態となる第２位置においては、上部支持部材２４０も同様に第２位置となる。
【００５７】
保持部材２５０は、主に蓄冷材２５１と、断熱カバー２５２で構成されている。
【００５８】
蓄冷材２５１としては、例えば公知のエチレングリコールやプロピレングリコールの水溶液のような有機性ブライン、水溶性高分子の水溶液と前記有機性ブラインの混合物等をプラスティック袋に入れて使用することが望ましく、形状としては上面を開口した筒形状である。
【００５９】
断熱カバー２５２は、上面を開口した樹脂製の略円筒容器であり、上面には外周に向けてフランジ２５３が構成されている。さらに断熱カバー２５２の下面中央には、磁石２５４が構成されている。
【００６０】
ここで、保持部材２５０は、蓄冷材２５１と断熱カバー２５２が着脱可能であり、断熱カバー２５２の内部に蓄冷材２５１が具備された状態で、容器１０８を蓄冷材２５１内部にはめ込んだ状態で、急冷装置２１０に取り付けられる。
【００６１】
急冷装置２１０が使用可能なとき、つまりケーシング２３２及び上部支持部材２４０が同様に第２位置であるとき、容器１０８をはめ込んだ保持部材２５０を急冷装置２１０に取り付けた状態においては、伝動部材２３５の回転中心と、断熱カバー２５２の回転中心が直線上に並び、磁石２３５ａと磁石２５４が対向してトルクを伝達できる状態となる。さらに、フランジ２５３の下面が、上部支持部材２４０の上面に当接する。
【００６２】
以上のように構成された急冷装置について、以下その動作、作用を説明する。
【００６３】
まず、急冷装置２１０が使用されていない状態においては、ユーザの手によりケーシング２３２及び上部支持部材２４０は同様に第１位置にあり、操作スイッチを万が一ユーザが誤操作した場合でも、モータ２３１および第１摩擦車２３４は回転するが、いずれも回転扉１０２ａの内部に収納されていることから危険性は少なく、外部に露出する第２摩擦車２３６に回転動力が伝達されることはない。
【００６４】
次に、急冷装置２１０を使用する場合、ユーザの手によりケーシング２３２及び上部支持部材２４０は同様に第２位置に移動される。このとき、回転扉１０２ａの内部に位置する第１摩擦車２３４と、ケーシング２３２内に配設された第２摩擦車２３６は当接しているので、モータ２３１の動力は伝動部材２３５に伝達される。
【００６５】
ここで、あらかじめユーザの手により冷蔵庫本体１００のいずれかの貯蔵室で冷却されていた蓄冷材２５１は、容器１０８および断熱カバー２５２と共に急冷装置２１０に取り付けられ、操作スイッチ１４０をユーザが操作することで、制御部１０７からの信号によりモータ２３１が回転する。このモータ２３１の回転により、第１摩擦車２３４、第２摩擦車２３６、伝動部材２３５を介して伝えられた動力は、保持部材２５０と共に容器１０８を回転させる。よって、所定時間経過後、モータ２３１の運転を自動的に停止するまで、蓄冷材２５１からの熱伝導に加え、容器１０８内部の飲料の対流により、迅速かつ均一に容器１０８内部の飲料は冷却されることになる。
【００６６】
さらに、保持部材２５０は、蓄冷材２５１の外周を断熱カバー２５２で覆っているので、保持部材２５０の外面に結露が発生することはない。
【００６７】
さらに、保持部材２５０が上面を開口した断熱カバー２５２で覆われており、保持部材２５０および容器１０８を縦向きに回転させることにより、断熱カバー２５２内で発生した結露水は、蓄冷材２５１と容器１０８の間の隙間を塞ぐので、隙間が形成されている状態に比べて、蓄冷材２５１と容器１０８の間の熱伝達率が向上する。
【００６８】
さらに、モータ２３１を回転扉１０２ａの内部に収納したことで、急冷装置２３０の回転扉１０２ａの外部に露出部分をコンパクトにすることができる。
【００６９】
さらに、ケーシング２３２および上部支持部材２４０が第１位置と第２位置の間を回動可能であるので、急冷装置２１０を使用しない場合は、駆動体２２０の冷蔵庫本体から成す距離を小さくすることができる。
【００７０】
さらに、摩擦車によりモータ２３１の動力を容器１０８に伝えるので、歯車を使用した伝達方法等に比べて、低騒音化が可能になる。
【００７１】
また、摩擦車によりモータ２３１の動力を容器１０８に伝えるので、ケーシング２３２およびが上部支持部材２４０を、第１位置から第２位置へ切り替える作業が容易である。
【００７２】
以上のように本実施の形態の給水容器は、本実施の形態では、冷蔵庫本体１００の外壁に容器１０８を回転させるために設けられ、冷蔵庫本体１００より電源を供給されている駆動体２２０と、軟性を有する蓄冷材２５１からなり駆動体２２０と共に容器１０８を保持する保持部材２５０とからなり、容器１０８に当接した保持部材２５０が容器１０８と共に回転することにより、容器表面での回転による摺動を防止することとなり、容器が破損することはない。
【００７３】
また、断熱カバー２５２の下面中央に配設された磁石２５４と、駆動体２２０に配設された磁石２３５ａを対向させてトルクを伝えることにより、容器１０８を取り付けた保持部材２５０を駆動体２２０に置くだけでトルク伝達が可能となり、急冷装置の操作性が向上する。
【００７４】
また、蓄冷材２５１が、一端を開口した筒形状であることにより、蓄冷材２５１と容器１０８の接触面積が大きくなり、冷却時間を短縮することができる。
【００７５】
また、蓄冷材２５１の外周に断熱カバー２５２を配設したことにより、保持部材２５０の外面への結露が抑制されることとなり、蓄冷材２５１の熱ロスを低減することができる。
【００７６】
また、略円筒形の容器１０８は、駆動体２２０により容器１０８の下面を支持され、胴の軸方向を縦向きに回転することにより、保冷部材２５０と容器１０８の間に形成される隙間に結露水が溜まって熱移動が促進されることとなり、冷却時間を短縮することができる。
【００７７】
また、モータ２３１が回転扉１０２ａの内部に収納されているので、モータ２３１が冷蔵庫本体１００の庫外に露出しないこととなり、駆動体２２０の庫外における省スペース化が可能となる。
【００７８】
また、ケーシング２３２および上部支持部材２４０が第１位置と第２位置の間を回動可能であるので、急冷装置２１０を使用しない場合は、駆動体２２０が冷蔵庫本体から成す距離を小さくすることができる。
【００７９】
また、モータ２３１は、摩擦により容器１０８にトルクを伝達することにより、ギヤ等を使用せずにトルクを伝達することとなり、急冷装置２３０の低騒音化が可能になる。
【００８０】
なお、本実施例においては、急冷装置２１０を回転扉１０２ａの外部に取り付けたが、急冷装置２１０が第１位置と第２位置の間を移動可能である、つまり急冷装置２１０を使用しない場合には、折りたたんで壁面に収納可能である本実施冷では、回転扉１０２ａの内壁に急冷装置２１０を構成しても、冷蔵庫の内容積に与える影響を最小限に抑えて急冷が可能となる。
【産業上の利用可能性】
【００８１】
以上のように、本発明にかかる急冷装置は、冷蔵庫の外で容器を急冷することができるので、庫内に急冷専用のスペースを設けることなく容器の急冷が可能となることから、業務用冷蔵庫の用途にも適用できる。
【図面の簡単な説明】
【００８２】
【図１】本発明の実施の形態１における冷蔵庫の側面図
【図２】同実施の形態における急冷装置の構成図
【図３】同実施の形態における急冷装置の断面図
【図４】本発明の実施の形態２における冷蔵庫の側面図
【図５】同実施の形態における急冷装置の構成図
【図６】同実施の形態における急冷装置の断面図
【図７】同実施の形態における急冷装置の側面図
【図８】従来の冷蔵庫の缶冷却装置の要部縦断面図
【符号の説明】
【００８３】
１００  冷蔵庫本体
１０８  容器
１１０  急冷装置
１２０  駆動体
１３０  冷却手段
２１０  急冷装置
２２０  駆動体
２３１  モータ
２３２  ケーシング
２３５ａ  磁石
２５０  保持部材
２５２  断熱カバー
２５４  磁石
【図１】
2006200786.tif 000003
【図２】
2006200786.tif 000004
【図３】
2006200786.tif 000005
【図４】
2006200786.tif 000006
【図５】
2006200786.tif 000007
【図６】
2006200786.tif 000008
【図７】
2006200786.tif 000009
【図８】
2006200786.tif 000010